(57)【要約】【課題】  吸音材を新たに設置しなくても、異音を低減することができる技術を提供する。【解決手段】  ウォータポンプ１０は、インペラとケーシングとを備える。ケーシングは、吸入口を備える第１の部分ケーシングと、吐出口２３を備える第２の部分ケーシングと、舌部２７とを備える。舌部２７は、第１の部分ケーシングと一体に形成されている部分舌部２８ｃと、下部ケーシングと一体に形成されている部分舌部４６ｃと、を備える。舌部２７のインペラの回転方向の後縁５０には、部分後縁５２，５４が設けられている。部分後縁５２，５４は、インペラの羽根部の間隔よりも小さい間隔で、インペラの回転方向にずれて位置している。【選択図】  図３
2014034890.tif 000002
【特許請求の範囲】
【請求項１】
モータと、
モータによって回転されるインペラと、
インペラを収容するケーシングと、を備える電動ウォータポンプであって、
インペラは、インペラの回転方向に間隔を空けて配置される複数個の羽根部を備え、
ケーシングは、
吸入口を備える第１の部分ケーシングと、
第１の部分ケーシングと別体であって、吐出口を備える第２の部分ケーシングと、
インペラの回転方向に沿って伸びている舌部を、備え、
インペラの外周縁とケーシングの内周面との隙間は、舌部とインペラとの間で最も小さく、インペラの回転方向に沿って、徐々に拡大し、舌部の手前において最も大きく、
舌部は、第１の部分ケーシングと一体に形成されている第１の部分舌部と、第２の部分ケーシングと一体に形成されている第２の部分舌部と、を備え、
舌部のインペラの回転方向の後縁には、複数個の部分後縁が設けられており、
複数個の部分後縁は、羽根部の間隔よりも小さい間隔で、インペラの回転方向にずれて位置している、電動ウォータポンプ。
【請求項２】
第１の部分舌部は、第２の部分舌部に当接する当接部を備え、
第１の部分舌部と第２の部分舌部とのインペラの回転方向における位置関係は、当接部が第２の部分舌部に当接することによって決められている、請求項１に記載の電動ウォータポンプ。
【請求項３】
第２の部分ケーシングは、インペラの外周縁に対向する内周面を備えると共に、第１の部分ケーシング側に開口しており、
第１の部分ケーシングは、第２の部分ケーシング側に突出しており、第２の部分ケーシングの内周面の外形に沿った形状の突出部を備える、請求項１又は２に記載の電動ウォータポンプ。
【請求項４】
第１の部分ケーシングは、凸部の外側を一巡する第１の接着部を備え、
第２の部分ケーシングは、開口の外側を一巡する第２の接着部を備え、
第１の接着部と第２の接着部とは、レーザ溶接によって溶着されている、請求項３に記載の電動ウォータポンプ。
【請求項５】
第１の接着部は、カーボンが含有されていないポリフェニレンスルフィドで作製されており、
第２の接着部は、カーボンが含有されているポリフェニレンスルフィドで作製されており、
第１の接着部の厚みは、１ｍｍ以下であり、
第１の接着部と第２の接着部とは、第１の接着部の第２の接着部と反対側から第２の接着部にレーザが照射され、第２の接着部が溶融されることによって、接着されている、請求項４に記載の電動ウォータポンプ。
【発明の詳細な説明】
【技術分野】
【０００１】
本明細書は、電動ウォータポンプに関する。
【背景技術】
【０００２】
特許文献１に、ファンの回転によって送風する送風装置が開示されている。送風装置では、ファンの回転によって、ファンを収容するケースに設けられているファンスクロール部に、空気が導入される。ファンスクロール部とファンとの隙間が最も狭い部分に位置するスロート部先端は、ファンの翼片の延伸方向（即ちファンの回転方向に垂直方向）に対して、千鳥状、即ち、スロート部先端とファンとの隙間が、ファンの高さ方向において変化するように形成されている。この構成では、ファンの翼片がスロート部先端を通過する際に生じる空気圧の変動の周期が高くなる。この結果、ファンの翼片がスロート部先端を通過する際に生じる異音は、比較的に高い周波数の音になる。この送風装置では、高周波数の異音を吸音するために設けられた吸音材によって異音が吸音される。
【先行技術文献】
【特許文献】
【０００３】
【特許文献１】実開平５−３８３９５号公報
【発明の概要】
【発明が解決しようとする課題】
【０００４】
上記の送風装置では、吸音材に異音が容易に吸音されるように、異音の周波数が高くなる構成が採用されている。この構成では、高い周波数の異音を吸音するための吸音材を設置する必要がある。本明細書では、吸音材を新たに設置しなくても、異音を低減することができる技術を提供する。
【課題を解決するための手段】
【０００５】
本明細書では、モータと、モータによって回転されるインペラと、インペラを収容するケーシングと、を備える電動ウォータポンプが開示される。インペラは、インペラの回転方向に間隔を空けて配置される複数個の羽根部を備える。ケーシングは、第１の部分ケーシングと第２の部分ケーシングと舌部とを備える。第１の部分ケーシングは、吸入口を備える。第２の部分ケーシングは、第１の部分ケーシングと別体であって、吐出口を備える。舌部は、インペラの回転方向に沿って伸びている。インペラの外周縁とケーシングの内周面との隙間は、舌部とインペラとの間で最も小さく、インペラの回転方向に沿って、徐々に拡大し、舌部の手前において最も大きい。舌部は、第１の部分ケーシングと一体に形成されている第１の部分舌部と、第２の部分ケーシングと一体に形成されている第２の部分舌部と、を備える。舌部のインペラの回転方向の後縁には、複数個の部分後縁が設けられている。複数個の部分後縁は、羽根部の間隔よりも小さい間隔で、インペラの回転方向にずれて位置している。
【０００６】
上記の電動ウォータポンプでは、水は、インペラの回転によって、吸入口から流路に流入する。流路内の水は、インペラの回転によって、昇圧されながら、インペラとケーシングとの隙間に形成される流路内をインペラの回転方向に沿って流れる。即ち、流路内の水は、インペラとケーシングとの隙間、即ち、流路面積が拡大する方向に向かって流れる。インペラとケーシングとの隙間で昇圧された水は、吐出口から吐出される。インペラの羽根部が、インペラとケーシングとの隙間が最小である舌部に対向する位置を通過する際、羽根部の周囲の冷却水の圧力が急激に変化するため、圧力脈動が発生する。これにより、電動ウォータポンプが振動し、異音の原因となる。
【０００７】
上記の電動ウォータポンプでは、舌部のインペラの回転方向の後縁に設けられている複数個の部分後縁は、インペラの回転方向にずれて位置している。この構成によれば、舌部のインペラの回転方向の後縁が、インペラの回転方向に並んで配置されている場合と比較して、圧力脈動を低減することができる。また、複数個の部分後縁は、羽根部の間隔よりも小さい間隔で、インペラの回転方向にずれて位置しているため、異なる羽根部が、同時に異なる部分後縁を通過することを防止することができる。この結果、圧力脈動を低減することができる。これにより、異音の原因となる電動ウォータポンプ内で振動を小さくすることができる。この構成によれば、異音の原因を直接的に抑制することができるため、吸音材を新たに設置しなくても、異音を低減することができる。
【図面の簡単な説明】
【０００８】
【図１】ウォータポンプの縦断面図を示す。
【図２】ケーシングの分解斜視図を示す。
【図３】図２のIII部分の拡大図を示す。
【図４】上部ケーシングの底面図を示す。
【図５】図１のIV-IV断面図を示す。
【図６】レーザ溶接を説明するための図を示す。
【図７】変形例の舌部の構成を示す。
【発明を実施するための形態】
【０００９】
以下に説明する実施例の主要な特徴を列記する。なお、以下に記載する技術要素は、それぞれ独立した技術要素であって、単独であるいは各種の組合せによって技術的有用性を発揮するものである。
【００１０】
（特徴１）第１の部分舌部は、第２の部分舌部に当接する当接部を備えていてもよい。第１の部分舌部と第２の部分舌部とのインペラの回転方向における位置関係は、当接部が第２の部分舌部に当接することによって決められていてもよい。
【００１１】
この構成によれば、当接部を第２の部分舌部に当接させることによって、舌部を精度よく構成し得る。
【００１２】
（特徴２）第２の部分ケーシングは、第１の部分ケーシング側に流路の外周形状に沿った外形を有する開口を備えていてもよい。第１の部分ケーシングは、第２の部分ケーシング側に突出しており、開口の外形に沿った形状の凸部を備えていてもよい。
【００１３】
この構成によれば、凸部を開口内に配置することによって、第１の部分ケーシングと第２の部分ケーシングとを位置決めすることができる。
【００１４】
（特徴３）第１の部分ケーシングは、凸部の外側を一巡する第１の接着部を備えていてもよい。第２の部分ケーシングは、開口の外側を一巡する第２の接着部を備えていてもよい。第１の接着部と第２の接着部とは、レーザ溶接によって溶着されていてもよい。
【００１５】
この構成では、第２の部分ケーシングの開口の周りを、第１の部分ケーシングが、レーザ溶接によって、一巡して接着される。この構成によれば、第１の部分ケーシングと第２の部分ケーシングとの間を、適切に接着することができる。
【００１６】
（特徴４）第１の接着部は、カーボンが含有されていないポリフェニレンスルフィドで作製されていてもよい。第２の接着部は、カーボンが含有されているポリフェニレンスルフィドで作製されていてもよい。第１の接着部の厚みは、１ｍｍ以下であってもよい。第１の接着部と第２の接着部とは、第１の接着部の第２の接着部と反対側から第２の接着部にレーザが照射され、第２の接着部が溶融されることによって、接着されていてもよい。
【００１７】
この構成によれば、第１の接着部は、カーボンを含有しておらず、その厚みが１ｍｍ以下であるため、レーザ光を透過することができる。一方、第２の接着部は、カーボンを含有しているため、レーザ光によって溶融され易い。この構成によれば、レーザ溶接によって、第２の接着部を溶融させ、第１の接着部と第２の接着部とを接着することができる。
【実施例】
【００１８】
（ウォータポンプ１０の構成）
ウォータポンプ１０は、自動車のエンジンルーム内に設置され、エンジンやインバータ等を冷却する冷却水を循環するために用いられる。ウォータポンプ１０は、外部からの電力によって駆動する電動ポンプである。
【００１９】
図１に示すように、ウォータポンプ１０は、ポンプ部２０とモータ部４０とを備える。ウォータポンプ１０の外周は、ケーシング１２で構成されている。ケーシング１２は、上部ケーシング２８と下部ケーシング４６とを備える。なお、本実施例では、ウォータポンプ１０が図１の状態であるときに、上下方向を規定する。上部ケーシング２８は、下部ケーシング４６の上端の開口を閉塞する。
【００２０】
（モータ部４０の構成）
モータ部４０は、ウォータポンプ１０の下部に配置されている。モータ部４０は、下部ケーシング４６に形成されている。モータ部４０は、ブラシレスモータを構成する。モータ部４０は、シャフト１６と、回転体６０のロータ４２と、ステータ４４と、を備える。シャフト１６の下端は、下部ケーシング４６に固定されている。シャフト１６は、ケーシング１２内を上下方向に伸びており、その先端は、モータ部４０の上方に位置するポンプ部２０に達している。シャフト１６には、回転体６０が回転可能に取り付けられている。回転体６０は、ロータ４２とインペラ２６とを備える。ロータ４２は、下部ケーシング４６に収容されている。ロータ４２は、円筒形状を有する。ロータ４２は、周方向に複数の磁極を有する。インペラ２６とロータ４２とは一体に構成されている。このため、ロータ４２が回転すると、インペラ２６も回転する。
【００２１】
ステータ４４は、ロータ４２の外周側に配置されている。図１では、ステータ４４の縦断面が示されているが、図面の見易さのため、断面であることを表す平行斜線が省略されている。ステータ４４は、下部ケーシング４６の内部に収容されている。ステータ４４は、複数個のコアプレートが積層されることによって構成されている２個のコアを備える。各コアには、コイル線が巻回された複数個のティースが設けられている。ティースの先端部は、ロータ４２の外周面に対向している。
【００２２】
モータ部４０の下方には、ステータ４４への給電制御を行う制御回路１８が配置されている。制御回路１８は、端子１４を介して、図示しない外部電源（例えば、車両に搭載されているバッテリ）に接続されている。制御回路１８は、外部電源から供給される電力をモータ部４０に供給する。
【００２３】
（ポンプ部２０の構成）
ポンプ部２０は、モータ部４０の上方に設けられている。ポンプ部２０は、下部ケーシング４６内に設けられている。ポンプ部２０の上部は、上部ケーシング２８に覆われている。ポンプ部２０では、ケーシング１２によって、吸入口２２と吐出口２３と冷却水経路２４とが形成されている。また、ポンプ部２０は、後述する回転体６０のインペラ２６を備える。インペラ２６は、ケーシング１２に収容されている。図５に示すように、インペラ２６は、図１の上方から見て円形状を有する。なお、図５では、下部ケーシング４６の上部に設けられている構成が、一部省略されている。ウォータポンプ１０に電力が供給されると、インペラ２６は、回転方向Ｒに回転する。インペラ２６の上面には、回転方向Ｒに、一定の間隔で７枚（複数枚）の羽根部２６ａが形成されている。羽根部２６ａは、インペラ２６の底板から、上方に突出している。羽部部２６ａは、インペラ２６の内周端から外周側に向かうに従って、回転方向Ｒに湾曲している。また、羽根部２６ａの厚みは、インペラ２６の内周端から外周側に向かうに従って、徐々に大きくなっている。インペラ２６の外周縁（即ち羽根部２６ａの外周側の端部）と下部ケーシング４６の内周面４６ｂとは、間隔を空けて配置されている。インペラ２６の外周縁と内周面４６ｂの間には、冷却水経路２４が形成されている。
【００２４】
冷却水経路２４は、インペラ２６の外周（即ち回転方向Ｒ）に沿って形成されている。内周面４６ｂは、回転方向Ｒに進むに従って、インペラ２６の外周から徐々に離間している。このため、冷却水経路２４の経路面積は、回転方向Ｒに従って、徐々に大きくなる。インペラ２６の外周縁と内周面４６ｂの隙間（即ち冷却水経路２４の経路面積）が最大の位置には、吐出口２３が接続されている。吐出口２３は、下部ケーシング４６に設けられている。吐出口２３は、冷却水経路２４（即ちインペラ２６）の接線方向に伸びている。冷却水経路２４は、インペラ２６の周方向を一巡している。冷却水経路２４を回転方向Ｒに沿って見たとき、冷却水経路２４の経路面積が最大の位置と経路面積が最小の位置とは、隣接している。
【００２５】
ケーシング１２は、冷却水経路２４の経路面積が最小の位置において、回転方向Ｒに沿って伸びている舌部２７を備える。言い換えると、舌部２７によって、冷却水経路２４の経路面積（インペラ２６の外周縁と下部ケーシング４６の内周面４６ｂとの間隔）が小さくなっている。内周面４６ｂのうち舌部２７に位置する部分は、他の部分の内周面４６ｂの上下方向の高さと、略同一の高さを有する。舌部２７の厚みは、回転方向Ｒの後縁５０から前側に向かうに従って、徐々に厚くなっている。なお、後述するように、図３に示すように、舌部２７は、部分舌部２８ｃと部分舌部４６ｃとによって構成されている。
【００２６】
舌部２７の後縁５０は、冷却水経路２４の下端から上端まで伸びている。後縁５０は、部分後縁５２，５４によって構成されている。部分後縁５２，５４は、シャフト１６に平行に（即ち上下方向）に伸びている。部分後縁５２，５４は、それぞれ直線状に伸びている。部分後縁５２は、部分後縁５４よりも回転方向Ｒ前側にずれて位置する。部分後縁５２と部分後縁５４との回転方向Ｒに沿った距離は、隣接する２個の羽根部２６ａの回転方向Ｒに沿った距離よりも短い。
【００２７】
（上部ケーシング２８及び下部ケーシング４６の構成）
図２に示すように、上部ケーシング２８は、カーボンが含有されていないポリフェニレンスルフィド（ＰＰＳ）で作製されている。なお、図２では、下部ケーシング４６のうち、ポンプ部２０を構成する部分のみが描かれており、モータ部４０を構成する部分は省略されている。上部ケーシング２８は、吸入口２２と当接部２８ａとインロー部２８ｂと部分舌部２８ｃとを備える。吸入口２２は、シャフト１６の延長線上に設けられている。当接部２８ａは、吸入口２２及びインロー部２８ｂの周りを一巡する平坦な環状形状を有する。当接部２８ａの厚みは、１ｍｍ以下である。上部ケーシング２８の下面には、インロー部２８ｂが配置されている。インロー部２８ｂは、下部ケーシング４６（即ち下方）に向かって突出している。インロー部２８ｂは、円形のインペラ２６の外周縁との距離が徐々に変化する内周面４６ｂに沿った外周面を備える。上部ケーシング２８の下面（即ちインロー部２８ｂ）には、部分舌部２８ｃが配置されている。部分舌部２８ｃは、上部ケーシング２８の下面から、下方に向かって突出している。図３に示すように、部分舌部２８ｃは、回転方向Ｒの後縁に、部分後縁５２を備える。
【００２８】
図２に示すように、下部ケーシング４６は、カーボンが含有されているＰＰＳで作製されている。即ち、上部ケーシング２８と下部ケーシング４６とは、吸水劣化が極めて低いＰＰＳで作製されている。下部ケーシング４６は、吐出口２３と当接部４６ａと内周面４６ｂと部分舌部４６ｃとを備える。当接部４６ａは、下部ケーシング４６の上端に設けられている。当接部４６ａは、当接部２８ａの形状に対応する平坦な環状形状を有する。部分舌部４６ｃは、下部ケーシング４６に設けられている冷却水経路２４の底面から上方（即ち上部ケーシング２８）に向かって突出している。部分舌部４６ｃは、回転方向Ｒの後縁に、部分後縁５４を備える。
【００２９】
上部ケーシング２８は、部分舌部２８ｃが、部分舌部４６ｃに当接するように、下部ケーシング４６に組み付けられる。このとき、インロー部２８ｂは、内周面４６ｂの開口に挿入される。図３に示すように、部分舌部４６ｃは、その上端部に配置されており、上方に向かって突出する当接部４６ｄを備える。当接部４６ｄは、部分舌部４６ｃの後端に位置する。上部ケーシング２８と下部ケーシング４６とが組み付けられた状態では、部分舌部２８ｃは、部分舌部４６ｃに当接している。具体的には、部分舌部２８ｃの下面は、下部ケーシング４６の上面に当接している。また、部分舌部２８ｃの当接部２８ｄは、当接部４６ｄに当接している。当接部２８ｄは、当接部４６ｄに対して、回転方向Ｒの前側から当接する。これにより、部分舌部２８ｃは、部分舌部４６ｃに対して、回転方向Ｒと反対側に移動することが規制される。さらに、部分舌部２８ｃの前縁２８ｅは、下部ケーシング４６に当接している。前縁２８ｅは、下部ケーシング４６に対して、回転方向Ｒの後側から当接する。これにより、部分舌部２８ｃは、部分舌部４６ｃに対して、回転方向Ｒに移動することが規制される。部分舌部２８ｃと部分舌部４６ｃとの回転方向Ｒにおける位置関係は、当接部２８ｄが当接部４６ｄに当接し、前縁２８ｅが下部ケーシング４６に当接することによって決められている。
【００３０】
上部ケーシング２８と下部ケーシング４６とが組み付けられると、インロー部２８ｂは内周面４６ｂに当接して、上部ケーシング２８と下部ケーシング４６とを位置決めすることができる。また、上部ケーシング２８と下部ケーシング４６とが組み付けられると、当接部２８ａと当接部４６ａとは当接する。これにより、上部ケーシング２８と下部ケーシング４６とが上下方向に位置決めされる。
【００３１】
図６に示すように、上部ケーシング２８と下部ケーシング４６とが組み付けられた後、当接部２８ａの上方から、当接部４６ａにレーザＸを照射して、当接部２８ａと当接部４６ａとを接着する。図６では、２個のレーザＸが記載されているが、実際には、１個のレーザを、当接部２８ａを一巡するように照射する。レーザＸは、当接部２８ａを透過して、当接部４６ａに照射される。当接部２８ａを構成するＰＰＳには、カーボンが含有されていない。また、当接部２８ａの板厚は、１ｍｍ以下である。このため、当接部２８ａの上方からレーザＸを照射したとしても、レーザＸは、当接部２８ａを容易に透過することができる。また、当接部４６ａを構成するＰＰＳには、カーボンが含有されている。このため、当接部４６ａは、レーザＸによって溶融されやすい。この構成によれば、当接部２８ａの上方からレーザＸを照射することによって、当接部４６ａを容易に溶融して、当接部２８ａと当接部４６ａとを溶着することができる。
【００３２】
また、当接部２８ａと当接部４６ａとは、吐出口２３よりも上方に配置されている。このため、レーザＸを照射する際に、吐出口２３が邪魔にならない。さらに、当接部２８ａと当接部４６ａとは、インペラ２６よりも上方に位置する。上部ケーシング２８には、インペラ２６側の下面のみに、冷却水からの圧力が負荷される。この構成によれば、上部ケーシング２８と下部ケーシング４６との接着部分がインペラ２６よりも下方に位置する場合と比較して、上部ケーシング２８が冷却水から圧力を受ける面積を小さくすることができる。この結果、当接部２８ａと当接部４６ａとの接着部分に負荷されるポンプ部２０内の冷却水からの圧力を低減することができる。
【００３３】
また、当接部２８ａと当接部４６ａとは、平坦に形成されている。このため、上部ケーシング２８と下部ケーシング４６との接着部分が、ポンプ部２０の外周に沿って円筒状に伸びている場合と比較して、当接部２８ａと当接部４６ａとの密着性を容易に確保することができる。さらに、上部ケーシング２８と下部ケーシング４６との接着部分を、ポンプ部２０の外周に沿って設ける場合と比較して、ウォータポンプ１０の高さを低くすることができる。
【００３４】
（ウォータポンプ１０の動作）
次に、ウォータポンプ１０の動作について説明する。外部電源から端子１４を介して、ウォータポンプ１０に電力が供給されると、制御回路１８は、ステータ４４のコイル線に、予め決められた順序で電圧を印加する。この結果、ステータ４４のティースのうち、シャフト１６を挟んで対向する２個のティースに、同じ相（即ちＵ，Ｖ，Ｗ相のいずれか）の電圧が印加される。即ち、モータ部４０は、三相交流モータである。
【００３５】
ステータ４４に電圧が印加されると、ティースが磁化される。ティースが磁化されると、ロータ４２の永久磁石は、磁化されているティースに引き寄せられる。これにより、回転体６０は、シャフト１６回りに回転する。冷却水は、インペラ２６の回転によって、吸入口２２からポンプ部２０内に吸入され、冷却水経路２４に流入する。冷却水経路２４内の冷却水は、インペラ２６の回転によって昇圧されながら、冷却水経路２４内を回転方向Ｒに流れ、吐出口２３から冷却水経路２４外へ吐出される。
【００３６】
図５に示すように、インペラ２６が回転している間、羽根部２６ａは、一定の間隔で舌部２７を通過する。羽根部２６ａは、舌部２７を通過することによって、高圧の冷却水が存在する位置から低圧の冷却水が存在する位置に移動する。即ち、羽根部２６ａの周囲に存在する冷却水の圧力が急激に変化する。このため、羽根部２６ａが舌部２７を通過する際に、圧力脈動が発生する。圧力脈動が発生すると、ウォータポンプ１０に振動が発生する。この結果、異音が発生したり、隣接する他の部品あるいはウォータポンプ１０自体に損傷等の影響が及ぶ。
【００３７】
ウォータポンプ１０では、舌部２７の後縁５０は、部分後縁５２と部分後縁５４とに分割されている。そして、部分後縁５２と部分後縁５４とは、回転方向Ｒに対してずれた位置に配置されている。この結果、羽根部２６ａは、舌部２７を通過する際に、最初に、部分後縁５４を通過し、次に、部分後縁５２を通過する。この構成によれば、舌部２７の後縁５０が、上下方向に直線状に伸びている場合と比較して、圧力脈動を低減することができる。これにより、ウォータポンプ１０の振動が低減され、それに伴う異音等が低減される。ウォータポンプ１０では、異音を吸音するための吸音材等を設けずに、異音等を低減することができる。また、部分後縁５２と部分後縁５４との回転方向Ｒに沿った距離は、隣り合う羽根部２６ａの回転方向の距離よりも小さい。このため、第１の羽根部２６ａが、部分後縁５２を通過するタイミングで、第１の羽根部２６ａと異なる第２の羽根部２６ａが、部分後縁５４部分後縁５２を通過するという事態を回避することができる。
【００３８】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００３９】
（変形例）
（１）部分舌部２８ｃ、４６ｃの構成は、上記の実施例に限られない。例えば、図７に示すように、部分舌部２８ｃは、下方に向かって突出する当接部２８ｆを備えていてもよい。当接部２８ｆは、部分舌部２８ｃの後端に位置していてもよい。部分舌部４６ｃは、上方に向かって突出する当接部４６ｆを備えていてもよい。当接部４６ｆは、部分舌部４６ｃの前側に位置していてもよい。上部ケーシング２８と下部ケーシング４６とが組み付けられた状態では、当接部２８ｆは、当接部４６ｆに、回転方向Ｒの後側から当接していてもよい。これにより、部分舌部２８ｃは、部分舌部４６ｃに対して、回転方向Ｒと反対側に移動することが規制される。
【００４０】
（２）上記の実施例では、舌部２７の後縁５０は、２個の部分後縁５２，５４に分割されている。しかしながら、舌部２７の後縁５０は、３個以上の部分後縁に分割していてもよい。この場合、各部分後縁は、上下方向に直線状に伸びていてもよい。また、部分後縁は、回転方向Ｒにずれて配置されていてもよい。
【００４１】
（３）上記の実施例では、部分舌部２８ｃは部分後縁５２を備えており、部分舌部４６ｃは部分後縁５４を備える。即ち、各部分舌部２８ｃ，４６ｃの後縁部分は、一直線上に形成されている。しかしながら、部分舌部２８ｃ，４６ｃの少なくとも一方は、回転方向Ｒに沿ってずれて位置する２個以上の部分後縁を備えていてもよい。
【００４２】
（４）本明細書に開示された技術は、冷却水以外の水（例えば、温水等）のための電動ポンプにも用いることができる。
【００４３】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４４】
１０：ウォータポンプ、２０：ポンプ部、２２：吸入口、２３：吐出口、２４：冷却水経路、２６：インペラ、２６ａ：羽根部、２７：舌部、２８：上部ケーシング、２８ａ：当接部、２８ｂ：インロー部、２８ｃ，４６ｃ：部分舌部、４０：モータ部、４６：下部ケーシング、５０：後縁、５２，５４：部分後縁、６０：回転体、Ｘ：レーザ
【図１】
2014034890.tif 000003
【図２】
2014034890.tif 000004
【図３】
2014034890.tif 000005
【図４】
2014034890.tif 000006
【図５】
2014034890.tif 000007
【図６】
2014034890.tif 000008
【図７】
2014034890.tif 000009